(57)【要約】  スライダーを箱体に接触するまで引き下げた際に、蝶棒の突起とファスナーエレメントとの係合を外して、蝶棒を箱体から確実に抜き出すことができるスライドファスナーを提供する。スライドファスナー（１０）の開き具（５０）は、一方のファスナーテープ（２０）に設けられる箱棒（５１）と、他方のファスナーテープ（２０）に設けられる蝶棒（５３）と、を備え、蝶棒（５３）は、一方のファスナーテープ（２０）のファスナーエレメント列（３０）の一端のファスナーエレメント（Ｅ）と係合する突起（５４）を備え、スライダー（４０）の隆起部（４５）及び蝶棒（５３）は、スライダー（４０）の移動方向において互いに接触する接触部（４５ａ，５５）をそれぞれ備え、スライダー（４０）の隆起部（４５）の接触部（４５ａ）と蝶棒（５３）の接触部（５５）の少なくとも一方に、スライダー（４０）の移動方向に対して斜めに交差する交差部（５６）が設けられる。
2018235235.tif 000002
【特許請求の範囲】
【請求項１】
一対のファスナーテープ（２０）と、
前記一対のファスナーテープ（２０）の対向するテープ側縁部（２０ａ）に取り付けられる一対のファスナーエレメント列（３０）と、
前記一対のファスナーエレメント列（３０）を噛合・分離させるスライダー（４０）と、
前記一対のファスナーエレメント列（３０）の一端側に設けられる開き具（５０）と、を備え、
前記開き具（５０）は、一方の前記ファスナーテープ（２０）に設けられる箱棒（５１）と、他方の前記ファスナーテープ（２０）に設けられる蝶棒（５３）と、を備え、
前記蝶棒（５３）は、一方の前記ファスナーテープ（２０）の前記ファスナーエレメント列（３０）の一端のファスナーエレメント（Ｅ）と係合する突起（５４）を備え、
前記スライダー（４０）は、上下方向に離間して並行に配置される上板（４１）及び下板（４２）と、
前記上板（４１）及び前記下板（４２）を前端部において連結する案内柱（４３）と、
前記上板（４１）の下面において前記案内柱（４３）の周辺から後方に向かって延び、且つ前記上板（４１）の下面から前記下板（４２）に向けて隆起する、または前記下板（４２）の上面において前記案内柱（４３）の周辺から後方に向かって延び、且つ前記下板（４２）の上面から前記上板（４１）に向けて隆起する隆起部（４５）を備えるスライドファスナー（１０）であって、
前記スライダー（４０）の前記隆起部（４５）及び前記蝶棒（５３）は、前記スライダー（４０）の移動方向において互いに接触する接触部（４５ａ，５５）をそれぞれ備え、
前記スライダー（４０）の前記隆起部（４５）の前記接触部（４５ａ）と前記蝶棒（５３）の前記接触部（５５）の少なくとも一方に、前記スライダー（４０）の移動方向に対して斜めに交差する交差部（５６）が設けられることを特徴とするスライドファスナー（１０）。
【請求項２】
前記蝶棒（５３）は、主体部（５３Ａ）を備え、
前記主体部（５３Ａ）は、前記箱棒（５１）と対面する側面（５３Ｃ）と、
前記主体部（５３Ａ）の前方側に、且つ前記側面（５３Ｃ）から前記箱棒（５１）側に突出する基台（５３Ｂ）と、
前記基台（５３Ｂ）の前面（５５ａ）から前方に突出する前記突起（５４）と、
前記突起（５４）の後方、且つ前記基台（５３Ｂ）よりも上方に位置する前記側面（５３Ｃ）に含まれる前記接触部（５５）と、を備え、
前記交差部（５６）は、前記蝶棒（５３）の前記接触部（５５）に設けられ、前記交差部（５６）の最も前記箱棒（５１）側に位置する頂点（Ａ）と前記交差部（５６）の前記蝶棒（５３）上で最も前方に位置する起点（Ｂ）を有し、
前記スライダー（４０）の前記隆起部（４５）の前記接触部（４５ａ）は、前記蝶棒（５３）の前記接触部（５５）と接触する先端部（４５ａ）であり、
前記蝶棒（５３）の前記突起（５４）が前記ファスナーエレメント（Ｅ）と係合した状態において、前記交差部（５６）の前記頂点（Ａ）は、前記スライダー（４０）の前記隆起部（４５）の前記先端部（４５ａ）の頂点よりも前記箱棒（５１）側に位置し、前記交差部（５６）の前記起点（Ｂ）は、前記スライダー（４０）の前記隆起部（４５）の前記先端部（４５ａ）の頂点よりも前記箱棒（５１）から離れる側に位置することを特徴とする請求項１に記載のスライドファスナー（１０）。
【請求項３】
前記交差部（５６）の前記頂点（Ａ）を基準とした前記蝶棒（５３）の幅（Ｌ１）は、前記スライダー（４０）の前記蝶棒（５３）の挿入を案内する蝶棒案内溝（４８）の幅（Ｗ）よりも小さいことを特徴とする請求項２に記載のスライドファスナー（１０）。
【請求項４】
前記交差部（５６）よりも後方の前記蝶棒（５３）の幅（Ｌ２）は、前記交差部（５６）の前記頂点（Ａ）を基準とした前記蝶棒（５３）の幅（Ｌ１）よりも小さいことを特徴とする請求項２又は３に記載のスライドファスナー（１０）。
【請求項５】
前記交差部（５６）は、斜面（５６）であることを特徴とする請求項１〜４のいずれか１項に記載のスライドファスナー（１０）。
【請求項６】
前記斜面（５６）は、前記蝶棒（５３）の角部（５７）から前記箱棒（５１）方向且つ後方向に向かって延びることを特徴とする請求項５に記載のスライドファスナー（１０）。
【請求項７】
前記蝶棒（５３）の上下方向寸法（Ｈ１）と、前記スライダー（４０）の前記上板（４１）の下面と前記スライダー（４０）の前記下板（４２）の上面との間の上下方向寸法（Ｈ２）と、前記スライダー（４０）の前記隆起部（４５）の接触部（４５ａ）の上下方向寸法（Ｈ３）とは、Ｈ３＞（Ｈ２−Ｈ１）の関係となることを特徴とする請求項５又は６に記載のスライドファスナー（１０）。
【請求項８】
前記ファスナーエレメント列（３０）が前記ファスナーテープ（２０）の下面側に配置されるスライドファスナーの場合、前記スライダー（４０）の前記隆起部（４５）が前記スライダー（４０）の上板（４１）に設けられ、前記蝶棒（５３）の前記接触部（５５）が前記ファスナーテープ（２０）の上面側に設けられることを特徴とする請求項１〜７のいずれか１項に記載のスライドファスナー（１０）。
【請求項９】
前記ファスナーエレメント列が前記ファスナーテープの上面側に配置されるスライドファスナーの場合、前記スライダーの前記隆起部（４５）が前記スライダーの下板（４２）に設けられ、前記蝶棒（５３）の前記接触部（５５）が前記ファスナーテープ（２０）の下面側に設けられることを特徴とする請求項１〜７のいずれか１項に記載のスライドファスナー（１０）。
【発明の詳細な説明】
【技術分野】
【０００１】
この発明は、開き具を備えるスライドファスナーに関する。
【背景技術】
【０００２】
従来のスライドファスナーとして、蝶棒、箱棒、箱体からなる開き具を備え、左右のファスナーエレメントの噛合時に他方のファスナーエレメントと係合する突起が蝶棒の上端に形成されるものが知られている（例えば、特許文献１参照）。
【先行技術文献】
【特許文献】
【０００３】
【特許文献１】日本国特許第４１７６０５２号公報
【発明の概要】
【発明が解決しようとする課題】
【０００４】
ところで、上記した従来のスライドファスナーでは、スライダーを箱体に接触するまで引き下げたとしても、蝶棒の突起とファスナーエレメントとの係合が外れず、蝶棒を箱体から抜き出せないことがあった。【０００５】
本発明は、前述した事情に鑑みてなされたものであり、その目的は、スライダーを箱体に接触するまで引き下げた際に、蝶棒の突起とファスナーエレメントとの係合を外して、蝶棒を箱体から確実に抜き出すことができるスライドファスナーを提供することにある。
【課題を解決するための手段】
【０００６】
本発明の上記目的は、下記の構成により達成される。
（１）一対のファスナーテープと、一対のファスナーテープの対向するテープ側縁部に取り付けられる一対のファスナーエレメント列と、一対のファスナーエレメント列を噛合・分離させるスライダーと、一対のファスナーエレメント列の一端側に設けられる開き具と、を備え、開き具は、一方のファスナーテープに設けられる箱棒と、他方のファスナーテープに設けられる蝶棒と、を備え、蝶棒は、一方のファスナーテープのファスナーエレメント列の一端のファスナーエレメントと係合する突起を備え、スライダーは、上下方向に離間して並行に配置される上板及び下板と、上板及び下板を前端部において連結する案内柱と、上板の下面において案内柱の周辺から後方に向かって延び、且つ上板の下面から下板に向けて隆起する、または下板の上面において案内柱の周辺から後方に向かって延び、且つ下板の上面から前記上板に向けて隆起する隆起部を備えるスライドファスナーであって、スライダーの隆起部及び蝶棒は、スライダーの移動方向において互いに接触する接触部をそれぞれ備え、スライダーの隆起部の接触部と蝶棒の接触部の少なくとも一方に、スライダーの移動方向に対して斜めに交差する交差部が設けられることを特徴とするスライドファスナー。
（２）蝶棒は、主体部を備え、主体部は、箱棒と対面する側面と、主体部の前方側に、且つ側面から箱棒側に突出する基台と、基台の前面から前方に突出する突起と、突起の後方、且つ基台よりも上方に位置する側面に含まれる接触部と、を備え、交差部は、蝶棒の接触部に設けられ、交差部の最も箱棒側に位置する頂点と交差部の蝶棒上で最も前方に位置する起点を有し、スライダーの隆起部の接触部は、蝶棒の接触部と接触する先端部であり、蝶棒の突起がファスナーエレメントと係合した状態において、交差部の頂点は、スライダーの隆起部の先端部の頂点よりも箱棒側に位置し、交差部の起点は、スライダーの隆起部の先端部の頂点よりも箱棒から離れる側に位置することを特徴とする（１）に記載のスライドファスナー。
（３）交差部の頂点を基準とした蝶棒の幅は、スライダーの蝶棒の挿入を案内する蝶棒案内溝の幅よりも小さいことを特徴とする（２）に記載のスライドファスナー。
（４）交差部よりも後方の蝶棒の幅は、交差部の頂点を基準とした蝶棒の幅よりも小さいことを特徴とする（２）又は（３）に記載のスライドファスナー。
（５）交差部は、斜面であることを特徴とする（１）〜（４）のいずれか１つに記載のスライドファスナー。
（６）斜面は、蝶棒の角部から箱棒方向且つ後方向に向かって延びることを特徴とする（５）に記載のスライドファスナー。
（７）蝶棒の上下方向寸法Ｈ１と、スライダーの上板の下面とスライダーの下板の上面との間の上下方向寸法Ｈ２と、スライダーの隆起部の接触部の上下方向寸法Ｈ３とは、Ｈ３＞（Ｈ２−Ｈ１）の関係となることを特徴とする（５）又は（６）に記載のスライドファスナー。
（８）ファスナーエレメント列がファスナーテープの下面側に配置されるスライドファスナーの場合、スライダーの隆起部がスライダーの上板に設けられ、蝶棒の接触部がファスナーテープの上面側に設けられることを特徴とする（１）〜（７）のいずれか１つに記載のスライドファスナー。
（９）ファスナーエレメント列がファスナーテープの上面側に配置されるスライドファスナーの場合、スライダーの隆起部がスライダーの下板に設けられ、蝶棒の接触部がファスナーテープの下面側に設けられることを特徴とする（１）〜（７）のいずれか１つに記載のスライドファスナー。
【発明の効果】
【０００７】
本発明によれば、スライダーの隆起部及び蝶棒が、スライダーの移動方向において互いに接触する接触部をそれぞれ備え、スライダーの隆起部の接触部と蝶棒の接触部の少なくとも一方に、スライダーの移動方向に対して斜めに交差する交差部が設けられるため、スライダーを箱体に接触するまで引き下げた際に、スライダーの接触部と蝶棒の接触部が接触し、蝶棒が箱棒の反対方向、すなわち箱棒から離れる方向に移動する。そのため、蝶棒の突起とファスナーエレメントとの係合が外れて、蝶棒を箱体から確実に抜き出すことができる。
【図面の簡単な説明】
【０００８】
【図１】本発明に係るスライドファスナーの一実施形態を説明する上面図である。
【図２】図１に示すスライダーと開き具の周辺の一部切欠き上面図である。
【図３】図２のスライダーのＡ−Ａ線断面図である。
【図４Ａ】蝶棒の上面図である。
【図４Ｂ】蝶棒の右側面図である。
【図４Ｃ】蝶棒を右側から見た斜視図である。
【図５】スライダーの隆起部と蝶棒の接触部の斜面との関係を示す拡大上面図である。
【図６Ａ】スライダーの隆起部が蝶棒の接触部の斜面に接触した状態を示す一部切欠上面図である。
【図６Ｂ】図６Ａよりもスライダーが箱体側に移動した状態を示す一部切欠上面図である。
【図６Ｃ】スライダーが箱体に接触した状態を示す一部切欠上面図である。
【図７】本発明を逆開き具に適用した場合を説明する一部切欠上面図である。
【図８】交差部である斜面をスライダーの隆起部に設けた場合を説明する一部切欠上面図である。
【発明を実施するための形態】
【０００９】
以下、本発明に係るスライドファスナーの一実施形態について、図面に基づいて詳細に説明する。なお、以後の説明において、上側とは図１の紙面に対して手前側、下側とは図１の紙面に対して奥側、前側とは図１の紙面に対して上側、後側とは図１の紙面に対して下側、左側とは図１の紙面に対して左側、右側とは図１の紙面に対して右側とする。また、左右方向は幅方向とも言う。また、前後方向は長さ方向とも言う。
【００１０】
本実施形態のスライドファスナー１０は、図１に示すように、織編製された左右一対のファスナーテープ２０と、左右のファスナーテープ２０の対向するテープ側縁部２０ａに取り付けられる左右一対のファスナーエレメント列３０と、左右のファスナーエレメント列３０を噛合・分離させるスライダー４０と、左右のファスナーエレメント列３０の前端側にそれぞれ設けられる上止部１１と、左右のファスナーエレメント列３０の後端側に設けられる開き具５０と、を備える。そして、このスライドファスナー１０は、ファスナーエレメント列３０がファスナーテープ２０の下面側に配置される裏使いスライドファスナーである。
【００１１】
ファスナーエレメント列３０は、合成樹脂製のモノフィラメントを一定方向に巻回すことにより形成されるコイル状のファスナーエレメント列であり、複数のファスナーエレメント３１を有する。そして、ファスナーエレメント列３０は、不図示の縫い糸によってファスナーテープ２０のテープ側縁部２０ａの下面（裏面）に縫い付けられる。なお、モノフィラメントの合成樹脂材料としては、ポリエステルやナイロンなどを挙げることができる。
【００１２】
スライダー４０は、図２及び図３に示すように、胴体Ｄと、胴体Ｄの上面に取り付けられる引手Ｐと、を備える。そして、スライダー４０を上止部１１側に移動することで、左右のファスナーエレメント列３０が噛合し、スライダー４０を開き具５０側に移動することで、左右のファスナーエレメント列３０が分離する。なお、スライダー４０は、本実施形態では自動停止機能付きのスライダーであるが、自動停止機能のないスライダーであってもよい。
【００１３】
胴体Ｄは、上下方向に離間して並行に配置される上板４１及び下板４２と、上板４１及び下板４２を前端部において連結する案内柱４３と、上板４１の左右両側縁に沿って下方に向けて突設されるフランジ４４ａと、下板４２の左右両側縁に沿って上方に向けて突設されるフランジ４４ｂと、上板４１の下面に形成され、左右のファスナーエレメント列３０を案内する隆起部４５と、を備える。そして、上板４１と下板４２との間には、左右のファスナーエレメント列３０を挿通させる略Ｙ字状のエレメント案内路４６が形成されている。また、上下のフランジ４４ａ，４４ｂ間には、ファスナーテープ２０が挿通されるテープ溝４７が形成されている。
【００１４】
隆起部４５は、上板４１の下面において案内柱４３の周辺から後方に向かって延び、且つ上板４１の下面から下板４２に向けて隆起する部分である。そして、隆起部４５の後方の先端部は、後述する蝶棒５３の接触部５５と接触する先端部（隆起部４５の接触部）４５ａを構成する。なお、本実施形態では、隆起部４５の先端部４５ａは、円弧状であり、その円弧の範囲を先端部４５ａとする。先端部４５ａの最も後方側に位置する箇所を先端部４５ａの頂点とする。また、隆起部４５の左側面には、左側のファスナーエレメント列３０を案内するエレメント案内面４５ｂが形成されている。エレメント案内面４５ｂは、その前側部分がエレメント案内路４６の内側に突出する量が大きく、その後側部分がエレメント案内路４６の内側に突出する量が小さくなる形状に形成されている。エレメント案内面４５ｂにより、蝶棒５３を箱体５２及びスライダー４０から引き抜く際に、蝶棒５３がスライダー４０の案内柱４３に干渉することなく、蝶棒５３をスムーズに引き抜くことができる。
【００１５】
開き具５０は、右側のファスナーテープ２０のテープ側縁部２０ａの後端部に形成される箱棒５１及び箱体５２と、左側のファスナーテープ２０のテープ側縁部２０ａの後端部に形成され、箱体５２に挿入可能な蝶棒５３と、を備える。
【００１６】
蝶棒５３は、図４及び図５に示すように、角柱状の主体部５３Ａを備え、主体部５３Ａは、箱棒５１と対面する側面５３Ｃと、主体部５３Ａの前方側に、且つ側面５３Ｃから箱棒５１側に突出する基台５３Ｂと、を有する。基台５３Ｂは側面５３Ｃに連なる。そして、基台５３Ｂには、右側のファスナーエレメント列３０の最後端のファスナーエレメント３１と係合する突起５４が形成されている。突起５４は、後述する主体部５３Ａの前面５５ａよりも前方に突出する形状に形成される。また、主体部５３Ａの前面５５ａにおける箱棒５１から離れた箇所に前方に突出する突出部５８が形成されている。また、突起５４と突出部５８との間には、ファスナーエレメント３１の噛合頭部の後半部を収容する収容部５３Ｄが設けられている。
【００１７】
また、蝶棒５３の突起５４の後方、且つ基台５３Ｂよりも上方に位置する側面５３Ｃには、スライダー４０の隆起部４５の先端部４５ａと接触する斜面（スライダー４０の移動方向に対して斜めに交差する交差部）５６を有する接触部５５が形成されている。そして、接触部５５は、ファスナーテープ２０の上面側に設けられている。従って、スライダー４０の接触部である隆起部４５の先端部４５ａと蝶棒５３の接触部５５は、スライダー４０の移動方向（前後方向）において互いに接触するように構成されている。
【００１８】
斜面５６は、主体部５３Ａの幅方向に延びる前面５５ａの右端部において後方に向かって形成されており、後端側の頂点Ａと前端側の起点Ｂを有する。頂点Ａは斜面５６の最も箱棒５１側に位置する箇所である。起点Ｂは斜面５６の蝶棒５３上で最も前方に位置する箇所である。そして、図５に示すように、蝶棒５３の突起５４が右側のファスナーエレメントＥと係合した状態において、斜面５６の頂点Ａは、スライダー４０の隆起部４５の先端部４５ａの頂点よりも箱棒５１側に位置し、斜面５６の起点Ｂは、スライダー４０の隆起部４５の先端部４５ａの頂点よりも箱棒５１から離れる側に位置している。このため、スライダー４０の隆起部４５の先端部４５ａの頂点が斜面５６の頂点Ａと起点Ｂとの間に位置するので、スライダー４０を箱体５２側に引き下げた際に、スライダー４０の隆起部４５の先端部４５ａが斜面５６に接触することとなる。また、斜面５６の隆起部４５の接触点よりも箱棒５１から離れる側の部分は、スライダー４０の前後方向の移動を案内する機能を有し、斜面５６の隆起部４５の接触点よりも箱棒５１側の部分は、蝶棒５３を幅方向外側（図５の左側）に移動させる機能を有する。
【００１９】
また、主体部５３Ａは、その前面５５ａと斜面５６との間に角部５７を有する。そして、斜面５６は、主体部５３Ａの角部５７よりも後方且つ箱棒５１側に設けられる。また、斜面５６は、主体部５３Ａの角部５７から箱棒５１方向且つ箱体５２方向（図５では右方向且つ後方向）に向かって次第に箱棒５１に近づくように形成されている。これにより、蝶棒５３の突起５４がファスナーエレメントＴと係合した状態で、スライダー４０を箱体５２に接触するまで引き下げた際に、スライダー４０の隆起部４５の先端部４５ａと蝶棒５３の斜面５６が前後方向の直線上に整列することになり、スライダー４０の隆起部４５の先端部４５ａと蝶棒５３の斜面５６が接触する。
【００２０】
また、図５に示すように、斜面５６の頂点Ａを基準とした蝶棒５３の幅Ｌ１は、スライダー４０の蝶棒５３の挿入を案内する蝶棒案内溝４８の幅Ｗよりも小さく設定されている。これにより、蝶棒５３が蝶棒案内溝４８内で幅方向に移動することが可能となる。なお、蝶棒案内溝４８は、スライダー４０の左側のフランジ４４ａの内側面と隆起部４５のエレメント案内面４５ｂとの間に形成されている。
【００２１】
また、斜面５６よりも後方の蝶棒５３の幅Ｌ２は、斜面５６の頂点Ａを基準とした蝶棒５３の幅Ｌ１よりも小さく設定されている。つまり、斜面５６よりも後方の蝶棒５３の側面５３Ｃは、斜面５６の頂点Ａを基準にすると、箱棒５１から離間するように、左方向に向けて凹んでいる。これにより、蝶棒５３の箱体５２への挿入性を向上することができる。
【００２２】
また、蝶棒５３の上下方向寸法Ｈ１（図４Ｂ参照）と、スライダー４０の上板４１の下面とスライダー４０の下板４２の上面との間の上下方向寸法Ｈ２（図３参照）と、スライダー４０の隆起部４５の先端部４５ａの上下方向寸法Ｈ３（図３参照）とは、Ｈ３＞（Ｈ２−Ｈ１）の関係となる。このため、スライダー４０を箱体５２側に引き下げた際に、スライダー４０の隆起部４５の先端部４５ａが斜面５６に接触することとなる。
【００２３】
このように構成された本実施形態のスライドファスナー１０では、図６Ａ〜図６Ｃに示すように、スライダー４０を箱体５２に接触するまで引き下げることにより、スライダー４０の隆起部４５の先端部４５ａが蝶棒５３の斜面５６に接触し、斜面５６を幅方向外側に押圧するため、蝶棒５３の突起５４と右側のファスナーエレメント列３０との係合が外れて、蝶棒５３が幅方向外側に移動する。このため、蝶棒５３を箱体５２から確実に抜き出すことが可能となる。
【００２４】
以上説明したように、本実施形態のスライドファスナー１０によれば、スライダー４０を箱体５２に接触するまで引き下げることにより、スライダー４０の隆起部４５の先端部４５ａが蝶棒５３の斜面５６に接触し、蝶棒５３が箱棒５１の反対方向、すなわち箱棒５１から離れる方向に移動する。そのため、蝶棒５３の突起５４とファスナーエレメント３１との係合が外れて、蝶棒５３を箱体５２から確実に抜き出すことができる。
【００２５】
また、本実施形態のスライドファスナー１０によれば、スライダー４０の隆起部４５の先端部４５ａが斜面５６の頂点Ａと起点Ｂとの間に位置するため、スライダー４０を箱体５２側に引き下げた際に、スライダー４０の隆起部４５の先端部４５ａを斜面５６に接触させることができる。
【００２６】
また、本実施形態のスライドファスナー１０によれば、斜面５６の頂点Ａを基準とした蝶棒５３の幅Ｌ１が、スライダー４０の蝶棒案内溝４８の幅Ｗよりも小さく設定されるため、蝶棒５３をスライダー４０内で幅方向に移動することができる。
【００２７】
また、本実施形態のスライドファスナー１０によれば、斜面５６よりも後方の蝶棒５３の幅Ｌ２が、斜面５６の頂点Ａを基準とした蝶棒５３の幅Ｌ１よりも小さく設定されるため、蝶棒５３の箱体５２への挿入性を向上することができる。
【００２８】
また、本実施形態のスライドファスナー１０によれば、蝶棒５３の上下方向寸法Ｈ１と、スライダー４０の上板４１の下面とスライダー４０の下板４２の上面との間の上下方向寸法Ｈ２と、スライダー４０の隆起部４５の先端部４５ａの上下方向寸法Ｈ３とは、Ｈ３＞（Ｈ２−Ｈ１）の関係となる。このため、スライダー４０を箱体５２側に引き下げた際に、スライダー４０の隆起部４５の先端部４５ａを斜面５６に接触させることができる。なお、隆起部４５の先端部４５ａの上下方向寸法Ｈ３は、隆起部４５がスライダー４０の上板４１の下面から隆起している場合は、スライダー４０の上板４１の下面と隆起部４５の先端部４５ａの下面との間の上下方向寸法であり、隆起部４５がスライダー４０の下板４２の上面から隆起している場合は、スライダー４０の下板４２の上面と隆起部４５の先端部４５ａの上面との間の上下方向寸法である。
【００２９】
なお、本発明は上記実施形態に例示したものに限定されるものではなく、本発明の要旨を逸脱しない範囲において適宜変更可能である。
【００３０】
例えば、上記実施形態では、本発明を開き具５０に適用する場合を例示したが、これに限定されず、図７に示す逆開き具６０に本発明を適用してもよい。この逆開き具６０は、図７に示すように、右側のファスナーテープ２０のテープ側縁部２０ａの後端部に形成される箱棒６１と、左側のファスナーテープ２０のテープ側縁部２０ａの後端部に形成され、前側スライダー４０Ａ及び後側スライダー４０Ｂに挿入可能な蝶棒６２と、を備え、この蝶棒６２に上記した斜面５６を有する接触部５５が形成される。また、この場合、前側スライダー４０Ａに上記した隆起部４５が形成される。ここで、後側スライダー４０Ｂは、逆開き具６０を構成する部品の１つということができる。この後側スライダー４０Ｂが箱棒６１の下端に位置した状態で、後側スライダー４０Ｂに蝶棒６２が挿入可能である。
【００３１】
また、上記実施形態では、本発明をファスナーエレメント列がファスナーテープの下面側に配置される裏使いスライドファスナーに適用する場合を例示したが、これに限定されず、ファスナーエレメント列がファスナーテープの上面側に配置される表使いスライドファスナーに本発明を適用してもよい。この場合、スライダーの隆起部は、スライダーの下板の上面に設けられ、蝶棒の接触部は、ファスナーテープの下面側に設けられる。また、この場合の隆起部は、下板の上面において案内柱の周辺から後方に向かって延び、且つ下板の上面から上板に向けて隆起する。
【００３２】
また、上記実施形態では、交差部である斜面５６は、蝶棒５３の接触部５５に設けられているが、これに限定されず、交差部である斜面５６は、図８に示すように、スライダー４０の隆起部４５に設けられていてもよい。この場合、斜面５６は隆起部４５の先端部４５ａに備わる。スライダー４０を箱体５２に当接させるように移動させた際に、隆起部４５の斜面５６は蝶棒５３の接触部５５の角部５７Ｂと当接し、蝶棒５３が幅方向外側へ移動する。また、交差部である斜面５６は、蝶棒５３の接触部５５とスライダー４０の隆起部４５の両方に設けられていてもよい。さらに、交差部は、斜面に限定されず、交差部の起点Ｂから頂点Ａに向けて下る面を備えていればよく、例えば、曲面でもあってもよい。
【符号の説明】
【００３３】
１０    スライドファスナー
１１    上止部
２０    ファスナーテープ
２０ａ  テープ側縁部
３０    ファスナーエレメント列
３１    ファスナーエレメント
４０    スライダー
４１    上板
４２    下板
４３    案内柱
４５    隆起部
４５ａ  先端部（隆起部の接触部）
４５ｂ  エレメント案内面
４８    蝶棒案内溝
５０    開き具
５１    箱棒
５２    箱体
５３    蝶棒
５４    突起
５５    接触部
５６    斜面（スライダーの移動方向に対して斜めに交差する交差部）
５７    角部
Ａ      斜面の頂点
Ｂ      斜面の起点
Ｌ１    斜面の頂点を基準とした蝶棒の幅
Ｌ２    斜面よりも後方の蝶棒の幅
Ｗ      蝶棒案内溝の幅
Ｈ１    蝶棒の上下方向寸法
Ｈ２    スライダーの上板の下面と下板の上面との間の上下方向寸法
Ｈ３    スライダーの隆起部の先端部の上下方向寸法
【図１】
2018235235.tif 000003
【図２】
2018235235.tif 000004
【図３】
2018235235.tif 000005
【図４Ａ】
2018235235.tif 000006
【図４Ｂ】
2018235235.tif 000007
【図４Ｃ】
2018235235.tif 000008
【図５】
2018235235.tif 000009
【図６Ａ】
2018235235.tif 000010
【図６Ｂ】
2018235235.tif 000011
【図６Ｃ】
2018235235.tif 000012
【図７】
2018235235.tif 000013
【図８】
2018235235.tif 000014
【国際調査報告】
2018235235.tif 000015
2018235235.tif 000016